(57)【要約】      （修正有）【課題】フレコンバッグを安定した姿勢で載置して、内容物を下方の容器本体内に向けて排出させることができ、フレコンバッグの底部開袋作業が安全に且つ効率良く行えるうえ、同一の受台を、大きさの異なる容器本体に取り付けて使用できる受台付き容器を提供する。【解決手段】フレコンバッグを載置させる受台５と、排出した内容物を収容する容器本体２とを有し、この容器本体２は、その上端部が開放され、かつ、開口部が前記受枠６の大きさよりも平面視において大きな大型容器であり、前記受枠６は、前記フレコンバッグを安定して載置させ得る大きさであって、前記フレコンバッグ内の内容物を排出し得る形状を有し、前記容器本体２の開口部の上方に水平姿勢で配置され、前記各脚部材７は、その各上端部が前記受枠２に取り付けられ、かつ、前記各脚部材７の下端部が前記容器本体２の側板２ａの内側面における途中高さの各箇所に向けて支持されている。【選択図】図１
2009035326.tif 000002
【特許請求の範囲】
【請求項１】
内容物が詰められたフレキシブルコンテナバッグを載置させる受枠に該受枠を支持する複数本の脚部材が取り付けられた受台と、前記フレキシブルコンテナバッグ内から排出した内容物を収容する容器本体とを有し、
当該容器本体は、その上端部が開放され、かつ、これにより形成された開口部が前記受枠の大きさよりも平面視において大きな大型容器であり、
前記受枠は、前記フレキシブルコンテナバッグの底部を安定して載置させ得る大きさであって、前記フレキシブルコンテナバッグ内の内容物を排出し得る形状を有し、前記容器本体の開口部の上方に水平姿勢で配置され、
前記各脚部材は、その各上端部が前記受枠に取り付けられ、かつ、前記各脚部材の下端部が前記容器本体の側板の内側面における途中高さの各箇所に向けて支持されていることを特徴とする、フレキシブルコンテナバッグの底部開袋に用いられる受台付き容器。
【請求項２】
容器本体は、フレキシブルコンテナバッグの容量よりも大きな容量を有する、請求項１に記載のフレキシブルコンテナバッグの底部開袋に用いられる受台付き容器。
【請求項３】
容器本体は、その上端部が開放された角箱形であり、受台の脚部材は４本で構成され、かつ、この脚部材の下端部が前記容器本体の四隅における途中高さ箇所にそれぞれ支持されている、請求項１又は２に記載のフレキシブルコンテナバッグの底部開袋に用いられる受台付き容器。
【請求項４】
脚部材の下端部が容器本体の側板における内側面の途中高さ箇所にそれぞれ着脱自在に取り付けられている、請求項１ないし３のいずれか１項に記載のフレキシブルコンテナバッグの底部開袋に用いられる受台付き容器。
【請求項５】
脚部材は受枠に上下回動自在に取り付けられている、請求項１ないし４のいずれか１項に記載のフレキシブルコンテナバッグの底部開袋に用いられる受台付き容器。
【請求項６】
容器本体の側板における内側面の途中高さ箇所に、受台における脚部材の下端部を装着させる脚部材装着用具が、上下回動自在に設けられている請求項１ないし５のいずれか１項に記載のフレキシブルコンテナバッグの底部開袋に用いられる受台付き容器。
【請求項７】
各脚部材は、伸縮可能であり、かつ、その所定の伸縮長さを確実に維持するための係止手段を備える、請求項１ないし６のいずれか１項に記載のフレキシブルコンテナバッグの底部開袋に用いられる受台付き容器。
【請求項８】
容器本体は、その上端部が開放され、かつ側板の下部又は容器本体の底面に、排出口が設けられたホッパーである、請求項１ないし７のいずれか１項に記載のフレキシブルコンテナバッグの底部開袋に用いられる受台付き容器。
【発明の詳細な説明】
【技術分野】
【０００１】
本発明は、内容物が詰められたフレキシブルコンテナバッグの底部開袋に用いられる受台付き容器に関する。
【背景技術】
【０００２】
フレキシブルコンテナバッグ（フレキシブルコンテナ、フレコンバッグとも呼ばれる。以下、フレコンバッグと略称する。）は、セメント材料、砂、砂利、青果物，米，豆，麦，澱粉，肥料，樹脂ペレット等の粉状体ないし粒状体（以下、内容物と称する。）を運搬してホッパーやコンテナ等の容器に移し替える際に使用される大きな袋であり、現在市販されているフレコンバッグの多くの種類のものは、内容物を排出させるに際して、該バッグの底部を刃物で切り開く、いわゆる使い捨て（ワンウエイ）タイプのフレコンバッグと、特許文献１の図４に示す、緊縛紐１０３で底部を緊縛して内容物の閉止させることが可能であり、一方、この緊縛紐１０３を解いて内容物の底部排出が可能になるように構成することによって、繰り返し使用、つまり再使用可能なタイプのフレコンバッグ（以下、フレキシブルコンテナバッグの底部開袋と略称する。）とに大別される。
【０００３】
フレコンバッグ内に詰められている内容物をホッパーやコンテナ等の容器に移し替える際には、該バッグは、トラッククレーン，天井走行クレーンなどの吊り下げ装置又はフォークリフトにより吊り下げられて、該容器の上方位置まで運搬される。
【０００４】
フレコンバッグには、特許文献１の図４に示す吊把手紐１０５、或いは、特許文献２の図１に示すワイヤー６などの吊り下げ用部材が取り付けられており、該バッグを吊り下げる場合には、この吊り下げ用部材を、上記の吊り下げ装置から垂下させたフックに、或いは、フォークリフトのフォークに掛けて、該バッグを持ち上げる。
【０００５】
従来、フレコンバッグを前記容器の上方位置まで運搬した後は、該バッグを吊下げ姿勢のまま、該バッグの底の一部を開放させて、該バッグ内に詰められている内容物をホッパーやコンテナ等の容器に向けて排出させるようにしており、該バッグ内に詰められている内容物の排出は、該バッグの排出筒を緊縛していた緊縛紐を解き、或いは、該バッグの底部を刃物で切開することにより行なわれる。
【０００６】
ところで、フレコンバッグを吊り下げ姿勢のまま、内容物を排出させるための作業を行なうと、作業上の危険性が伴う。このため、フレコンバッグを吊り下げ姿勢のまま、専用の受台に載置して、該バッグ内の内容物を排出させるようにすることが好ましい。
【０００７】
この受台は、例えば、特許文献１、特許文献２等により提示されている。
【０００８】
特許文献１によるフレコンバッグからの内容物の排出に用いる受台は、請求項１には、粒状物，粉状物を充填し、閉じ紐を緊縛した閉塞状態から該閉じ紐を緩めて内容物を下方に排出できるように設けられたバッグ底部から下方に延出された排出筒を有するフレコンバッグから、充填内容物である粒状物，粉状物を排出する際に用いる受台であって、内容物充填状態の該バッグ本体の底部を載置でき、かつ該バッグ底部の前記排出筒よりも径の大きな内側開口を形成するバッグ受部を有することを特徴とする、と記載されている。
【０００９】
そして、この受台は、特許文献１には、排出時に内容物の重量がバッグの底部に集中して閉じ紐の緊縛開放ができない場合があるという問題を解決するところにある、と記載されており（明細書の段落「０００６」）、また本発明の別の目的は、内容物の排出を全量でなく一部だけ取り出し排出することができるようにするところにある、と記載されている（明細書の段落「０００７」）。
【００１０】
この受台の具体的な構造が特許文献１の図３において示され、周壁の上端縁が円形を有する漏斗状を有するシュート構造物２３上に、４本の脚２２２を介して円環状バッグ受部２２１が設けられた構造とされている。
【００１１】
また、特許文献１の図６に示す別の実施形態２の受台は、周壁の上端縁が矩形を有する漏斗状を有するシュート構造物８３上に、３枚の側板８２１２を介して、矩形の板材の中央に円形の開口８２２１を有するバッグ受部８２１が設けられている。
【００１２】
特許文献２によるフレコンバッグの開封投入作業補助装置は、請求項１には、内部に粉粒体が充填されたフレコンバッグを載荷し得る座板を所定投入場所の上に配置するとともに、該フレコンバッグの底部に設けられた流出孔を開封操作し得るように該座板の少なくとも一辺より該座板の中心部にわたって通用口を切欠形成したことを特徴とする、と記載されている。そして、この座板は、特許文献２には、非常に重量のある宙づり状態のフレコンバッグの下に潜って開封作業を行なわなければならず、万一フレコンバッグが落下すると下敷きになる危険がある（明細書の段落「０００２」）という従来の問題点を解消するためにあるとされている。
【００１３】
この座板の具体的な構造は、特許文献２の図１において示され、その一辺より中心部にわたりＵ字状に切り欠かれた通用口８が形成されている。そして、該座板２の上面周囲には柵９が設けられている。
【００１４】
【特許文献１】特開２００２−８００２０号公報
【特許文献２】特開２００２−３３７８２３号公報
【発明の開示】
【発明が解決しようとする課題】
【００１５】
しかしながら、特許文献１による受台、及び、特許文献２による座板については、次のような不具合がある。
【００１６】
即ち、特許文献１における明細書の段落「００１５」の記載と図３によれば、フレーム構造物２１に固定された環板材２２３に受台２が固定されており、特許文献１の図１及び図２から判るように、内容物５が詰められたフレコンバッグ１は重量物であり、これを水平面である環状板２２３で支えると、環状板２２３が変形して受台２の姿勢が傾き、該バッグ１の緊縛紐１０３を解く作業者の上に、該バッグ１が落下する危険性がある。
【００１７】
また、シュート構造物２３の容量がフレコンバッグ１の容量よりも小さいために、内容物５がトレイ構造物２４上で滞留すると、内容物５がシュート構造物２３から外に溢れ出るおそれがある。この状態になる前にフレコンバッグ１下部に設けられている排出筒１０２の緊縛紐１０３を締結して排出筒１０２を閉じさせればよいが、内容物５の排出の勢いがあるため、排出筒１０２を閉じさせることは容易でない。
【００１８】
また、特許文献２の図２に示すように、座板２をホッパー１の上に直接載置させると、座板２の下方に手を伸ばしてフレコンバッグ３の流出孔６を開放させる作業が容易に行なえない。しかも、フレコンバッグ３を吊り下げることなく座板２に載置させると、該バッグ３とともに座板２が横倒れして、流出孔６を閉止させる紐７を解く作業者の上に落下する危険性がある。
【００１９】
また、特許文献２に示す如きフレコンバッグ３の上部にワイヤー４が取り付けられていると、該バッグ３内に詰められている内容物の重量でフレコンバッグ３のワイヤー４を通している孔が裂けて、該バッグ３の紐７を解く作業者の上に落下する危険性がある。
【００２０】
そこで、本発明のフレキシブルコンテナバッグの底部開袋に用いられる受台付き容器がこのような不具合を解消するために提案されたのである。
【課題を解決するための手段】
【００２１】
本発明に係るフレコンバッグの底部開袋に用いられる受台付き容器においては、内容物が詰められたフレキシブルコンテナバッグを載置させる受枠に該受枠を支持する複数本の脚部材が取り付けられた受台と、前記フレキシブルコンテナバッグ内から排出した内容物を収容する容器本体とを有し、当該容器本体は、その上端部が開放され、かつ、これにより形成された開口部が前記受枠の大きさよりも平面視において大きな大型容器であり、前記受枠は、前記フレキシブルコンテナバッグの底部を安定して載置させ得る大きさであって、前記フレキシブルコンテナバッグ内の内容物を排出し得る形状を有し、前記容器本体の開口部の上方に水平姿勢で配置され、前記各脚部材は、その各上端部が前記受枠に取り付けられ、かつ、前記各脚部材の下端部が前記容器本体の側板の内側面における途中高さの各箇所に向けて振り分けられて支持されていることを特徴とするものである。
【００２２】
本発明のフレキシブルコンテナバッグの底部開袋に用いられる受台付き容器（以下、本発明の受台付き容器と略称する。）は、受台と容器本体とが組み合わされたもので構成されている。
【００２３】
本発明の受台付き容器が備える受台は、フレキシブルコンテナバッグ（以下、フレコンバッグと略称する。）内に詰められている内容物を前記容器本体に移し替える際に、吊り下げ姿勢の状態でフレコンバッグを載置するために使用され、この吊り下げには、フォークリフト，小型クレーン，天井走行クレーンなどが使用される。
【００２４】
受台は、受枠と複数本の脚部材とにより構成され、受枠の上にフレコンバッグが載置される。受枠は、フレコンバッグの底部を安定して載置させ得る大きさであって、当該フレコンバッグ内の内容物を排出し得る形状を有している。
【００２５】
好ましいとされる受枠は、例えば、前記フレコンバッグの底部を安定して載置させ得る大きさのドーナツ形状であり、その中央には、は、該バッグ内の内容物台の排出をさせる開口部が形成されたものである。より最適とされる受枠は、多くの市販のフレコンバッグは円形の底部であることから、フレコンバッグを安定して受枠上に載置させる大きさを有する金属パイプ製或いは合成樹脂製の円形環状受枠で構成されている。
【００２６】
受枠は、平面視において、一重円形状を有するものだけでなく、二重円形状、或いは三重円形状を有する受枠でも良く、多重円形状の受枠は、載置面が広くなるため、フレコンバッグを一層安定した姿勢で載置させることができる。
【００２７】
二重円形状、或いは三重円形状の環状受枠については、更に、内側に位置する環状パイプに対して外側に位置する環状パイプを、上下高さが高い位置になるように、各環状パイプを連結パイプで連結させたものにすると、外側の環状パイプがフレコンバッグの載置させる姿勢を安定させる。
【００２８】
受枠は、金属パイプ製の円形環状受枠に限定されない。例えば、ドーナツ板形状の受枠でもよい。更に、ドーナツ形状の受枠が、外径方向に向かうに従って上下高さが若干高くなる形状に反りを持たせた形状にすると、フレコンバッグの載置姿勢を更に安定化させることができる。
【００２９】
受台の各脚部材は、受枠を容器本体の上方において水平に配設させるためにあり、作業者は、各脚部材によって受枠と容器本体との間に設けられた空間内に手を伸ばして、フレコンバッグの底部を開袋する。
【００３０】
フレコンバッグの底部開袋の方法は、フレコンバッグの種類により異なる。
例えば、底部に排出筒が設けられているフレコンバッグの場合には、受枠の開口から下方に垂れ下がって見える排出筒を緊縛している緊縛紐を解けばよいのである。
底部を切開する使い捨てタイプのフレコンバッグの場合には、受枠の開口の内側から見えるフレコンバッグの底部分を刃物で切り開く。
【００３１】
このようにして、フレコンバッグの底部を開袋させると、当該バッグ内に詰められている内容物が、下方の容器本体内に向けて排出される。
【００３２】
本発明の受台付き容器が備える容器本体は、フレコンバッグの容量より大きな容量を有し、安定した姿勢で地面や床面に載置される構造のものであり、少なくともその上端部が開放されている。
【００３３】
本発明の受台付き容器においては、各脚部材の下端部が前記容器本体の側板の内側における途中高さの各箇所に支持されている。
受枠は容器本体の上方に配置され、容器本体の上部に形成されている開口部は受枠よりも大きな形状を有しているため、各脚部材は下方に向かうに従って外方向に広がる、傾斜した姿勢をとる。
【００３４】
内容物が詰まって重量物になっているフレコンバッグを受台上に、吊り下げ姿勢で載置させると、各脚部材に加わる荷重によって、各脚部材の下端部は容器本体の側板を内側から外方向に押圧する。
【００３５】
このため、各脚部材の下端部が容器本体から脱落することはない。むしろ、各脚部材の下端部には、容器本体の側板を外側から内方向に押し付ける力が作用することによって、各脚部材は容器本体に一層強固に支持される。
【００３６】
容器本体の側板の内側該当箇所には、各脚部材の下端部を支持させるための支持機能が付加されており、この支持機能の具体的な構造は、実施例において明示されている。
【００３７】
請求項２に係るフレコンバッグの底部開袋に用いられる受台付き容器においては、更に、容器本体は、当該フレコンバッグの容量よりも大きな容量を有する。
【００３８】
フレコンバッグの容量より大きな容量の容器本体は、フレコンバッグ内に詰められている内容物を残さず、当該容器本体内に向けて排出、収容させ得る。
【００３９】
請求項３に係るフレコンバッグの底部開袋に用いられる受台付き容器においては、容器本体は、その上端部が開放された角箱形であり、受台の脚部材は４本で構成され、かつ、この脚部材の下端部が前記容器本体の四隅における途中高さ箇所にそれぞれ支持されているものである。
【００４０】
上端が開放された角箱形の容器本体の四隅周辺部は、平面視において直角方向に折曲された最も強度のある箇所であり、このため、４本の脚部材における下端部を、容器本体の四隅における途中高さ箇所にそれぞれ支持させて、受台を安定化させることができる。
【００４１】
即ち、容器本体の四隅における途中高さ箇所に４本の脚部材の下端部をそれぞれ支持させた場合に、上方から各脚部材に加わる荷重によって、側板が外方向に膨らむ方向に変形し易くなるという不具合を確実に解消させるようにしたものである。
【００４２】
また、各脚部材の下端部を、上端部が開放された角箱形の容器本体の四隅に向けて支持させると、作業者がフレコンバッグの底部を開袋させる作業の際に、各脚部材が邪魔にならない最も近い位置で開袋作業をすることが可能になる。
【００４３】
即ち、各脚部材が位置する容器本体の隅部は、フレコンバッグを開袋させる最も離れた位置であるのに対し、容器本体の２つの隅部間の中間位置は、最も作業し易い、フレコンバックに近い位置になる。
【００４４】
請求項４に係るフレコンバッグの底部開袋に用いられる受台付き容器は、前述のいずれかの構成を備え、更に、脚部材の下端部が容器本体の側板における内側面の途中高さ箇所にそれぞれ着脱自在に取り付けられているものである。
【００４５】
受台を容器本体から取り外す理由は、１つの受台を複数台の容器本体に使用することを可能にし、受台を取り外した容器本体を積み重ねることを可能にするためにある。受台の取り外しは受台を上方に持ち上げて行い、例えば、フォークリフト又はクレーン等で吊り上げて行なう。
【００４６】
請求項５に係るフレコンバッグの底部開袋に用いられる受台付き容器は、前述のいずれかの構成を備え、更に、脚部材は受枠に上下回動自在に取り付けられているものである。
【００４７】
各脚部材はその上端部が受枠に上下回動自在に取り付けられたタイプの受枠付き容器であり、この受枠付き容器は、各脚部材をその傾斜姿勢を、容器本体の大きさに合わせた保持箇所に向くように任意に変更して支持させることが可能になり、このとき、受枠の高さは変化する。
各脚部材はその上端部が受枠の対応各箇所に上下回動自在に取り付けるためには、つまり、脚部材を受枠に上下回動自在に取り付けるには、例えば、受枠において、脚部材の取付箇所下面に、上下逆Ｕ字形状の連結金具を溶接等により固定させ、該連結金具の内側空間内に脚部材の上端部を径の太いピンで上下回動自在に枢着させる。この他にも、受枠の複数の所定箇所に回動自在に固定させた金属製取付リングに脚部材の上端部を夫々固定させた構造にすることによっても可能になる。
【００４８】
請求項６に係るフレコンバッグの底部開袋に用いられる受台付き容器においては、前述のいずれかの構成を備え、更に、容器本体の側板における内側面の途中高さ箇所に設けられた脚部材装着用具が、上下回動自在に設けられている。
【００４９】
このように、容器本体の側板における内側面の途中高さ箇所に、受台における脚部材の下端部を装着させる脚部材装着用具が上下回動自在に設けられていると、平面視において大きさが異なるサイズの容器本体に、同じ大きさの受台を取り付けることが可能になる。即ち、平面視において大きさが異なる容器本体に同一サイズの受台を取り付けようとすると、受台の各脚部材の傾斜角度が変わることになり、これに対応させて、受台の脚部材の下端部を装着させる脚部材装着用具を容器本体に上下回動自在に設けることによって、当該脚部材装着用具の角度を調整し、同一サイズの受台を平面視において大きさが異なる容器本体に取り付けることが可能になるのである。このため、１種類の受台を、平面視において、大きさ及び形状の異なる容器本体に取り付けることが可能になるのである。
【００５０】
脚部材装着用具を容器本体に上下回動自在に設けるには、例えば当該容器本体の途中高さ箇所に設けたブラケットにU字状の脚部材装着用具をピン枢着するなど、公知の手段を採用すればよいのである。
【００５１】
請求項７に係るフレコンバッグの底部開袋に用いられる受台付き容器においては、前述のいずれかの構成において、更に、各脚部材は、伸縮可能であり、かつ、その所定の伸縮長さを確実に維持するための係止手段を備えることによって、作業者がフレコンバッグを最も作業しやすい高さ位置に保持させ、安全に開封作業を行うことができるのである。
【００５２】
伸縮可能な各脚部材を備える受台は、１種類の受台を、大きさ及び形状の異なる容器本体に取り付けることが、更に一層可能になる。各脚部材を伸縮可能にするための具体的な構造は、例えば、径の異なる２本のパイプを伸縮自在に嵌合させることにより可能になる。各脚部材を所定の伸縮長さ位置で確実に維持、固定させるための係止手段としては、例えば、伸縮自在に嵌合させた２本のパイプどうしをピン止めするなどの手段を採用することにより可能となる。この他にも、同径の２本のパイプを径の異なるパイプで近接・離反自在に螺合しても良いのである。
【００５３】
請求項８に係るフレコンバッグの底部開袋に用いられる受台付き容器においては、前述のいずれかの構成において、容器本体は、その上端部が開放され、かつ側板の下部又は容器本体の底面に、排出口が設けられたホッパーで構成されていることにより、フレコンバッグから容器本体内に排出、収容された内容物を、更に、当該容器本体内から排出、移送して有効に利用しえるのである。
【００５４】
この場合、前記ホッパーは、フレコンバッグから排出された内容物を収容するとともに、この内容物を排出口に向けて搬送するスクリューコンベアを備えたホッパー、フレコンバッグから排出された内容物を収容し、更に下方に排出させる漏斗形状のホッパーなどが挙げられるのであり、これらのホッパーは、一般に、地面又は床面に水平かつ安定した姿勢で載置される。
【発明の効果】
【００５５】
本発明に係る請求項1のフレコンバッグの底部開袋に用いられる受台付き容器によれば、容器本体の上端開口部が、平面視において受枠よりも大きな形状を有し、該受枠は、フレコンバッグの底部を水平姿勢で安定して載置させ得る大きさであって、該フレコンバッグ内の内容物を排出し得る形状を有する結果、フレコンバッグを吊り下げ姿勢のまま受台に載置して、当該フレコンバッグの底部における排出口を開放させると、フレコンバッグ内の内容物を容器本体の外側に漏れることなく、確実に当該容器本体内に投入することができるのである。
【００５６】
また、本発明の請求項1において、受台を形成するにあたり、該受台は受枠とこの受枠を支持する複数本の脚部材とからなり、内容物が詰められたフレコンバッグを載置する受枠が容器本体の上方に位置するように脚部材の下端部を容器本体の側板の内側における途中高さ箇所に支持させた結果、受枠と容器本体の間には脚部材による空間が形成される。このため、フレコンバッグにおける排出口の緊縛紐を解く操作が、この空間内に手を伸ばして至極容易に行うことができるのである。
【００５７】
しかも、本発明の請求項１において、容器本体の上端開口部を受枠よりも大きくしたことにより、各脚部材を下方に向かうに従って外方向に広がるように傾斜させて、各脚部材の下端部を容器本体の側板内側における途中高さ箇所に支持させることができるようになり、この結果、受台に内容物が詰められたフレコンバッグの荷重が加わると、各脚部材の下端部には容器本体の側板を外方向と下方に押し付ける力が働くため、各脚部材は容器本体から脱落することが無く、頑丈で安全性の高い受台付き容器になるのである。
【００５８】
また、本発明の請求項２においては、前記構成において、更に、容器本体は、フレコンバッグの容量よりも大きな容量を有するものとした結果、該バッグ内に詰められている内容物を残さず容器本体に向けて排出させることができるようになる。このため、内容物の排出途次、容器本体内から内容物が溢れるのを防止するために、排出口を閉じさせるという、困難な且つ煩わしい作業を不要にすることができるのである。
【００５９】
また、本発明の請求項３においては、前述のいずれかの構成において、更に、受枠を支持する４本の脚部材の下端部を、上端開口で角箱形の容器本体であって最も強度があり、しかも外圧に対する変形が最も少ない四隅における途中高さ箇所に支持させるようにした結果、上方から受ける荷重に対して強度のある一層丈夫な受台付き容器になり、該受台付き容器の使用中に脚部材が容器本体から外方向に外れることが確実に防止されるのである。
【００６０】
また、本発明の請求項４においては、前述のいずれかの構成において、更に、各脚部材の下端部が容器本体の側板における内側面の途中高さ箇所に着脱自在に取り付けられて使用できる結果、１つの受台を、複数の容器本体のいずれにも使用することが可能になるため、極めて経済的である。しかも、受台を容器本体から取り外すことができるので、受台を取り外した複数の容器本体を、保管スペースを極力抑えるために、上下段に複数積み上げることができるようになり、複数の容器に対して１つの受台を用意するだけで足りる結果、この点においても、極めて経済的であり、しかも受台は１台で良いからその保管スペースを最小限にすることができるのである。
【００６１】
また、本発明の請求項５においては、前述のいずれかの構成において、更に、受台として、脚部材が受枠に上下回動自在に取り付けられた構成を有する結果、容器本体の大きさに合致する位置に各脚部材の傾きを変化させて、当該受台を、大きさ及び形状が異なる容器本体の的確な箇所に無理無く確実に支持させることができるのである。
【００６２】
本発明の請求項６においては、前述のいずれかの構成において、更に、容器本体の側板における内側面の途中高さ箇所に設けられた脚部材装着用具が、上下回動自在に構成されているので、平面視において大きさが異なるサイズの容器本体に、同じ受台を的確かつ良好に使用することができる。この結果、各種サイズの容器本体に対応させた複数種の受台を準備する必要が無くなり、受台の製造コストを最小限に抑えることができる上、受台の保管スペースを最小限にすることができるのである。
【００６３】
本発明の請求項７においては、前述のいずれかの構成において、更に、各脚部材は、伸縮可能であり、かつ、その所定の伸縮長さを確実に維持させるための係止手段を備えた構成にした結果、受台を、大きさ及び形状が異なる容器本体の的確な箇所に一層良好に支持させることができるようになり、特に、受枠の高さに位置を一定にさせた状態で、受台を所望の容器本体に取り付けることができるようになるのである。
【００６４】
また、本発明の請求項８においては、前述のいずれかの構成において、更に、容器本体は、その上端部が開放され、かつ側板の下部又は容器本体の底面に、排出口が設けられたホッパーで構成されていることにより、フレコンバッグから容器本体内に排出、収容された内容物を、更に、当該容器本体内から他の加工・処理装置などに極めて容易に排出、移送して有効に利用し得るのである。
【発明を実施するための最良の形態】
【００６５】
本発明を実施するための最良の形態のフレコンバッグの底部開袋に用いられる受台付き容器を次の実施例において詳細に説明する。
【実施例】
【００６６】
図１は、本発明の第1実施形態に係るフレコンバッグの底部開袋に用いられる受台付き容器を示す斜視図、図２は同じくその平面図、図３は同じくその左側面図、図４は同じくその正面図、図５は図３におけるＡ−Ａ断面図である。
【００６７】
図１〜図５に示す本発明の第１実施形態に係るフレコンバッグの底部開袋に用いられる受台付き容器（以下、本発明実施形態の受台付き容器と略称する。）１は、上端が開放された平面視正方形の角形を有する容器本体２に、フレコンバッグを吊り下げ姿勢で載置する受台５が取り外し不能に取り付けられたもので構成されている。
【００６８】
前記容器本体２は、フレコンバッグから排出された内容物を収容する機能と、フレコンバッグから排出された内容物を収容した後、更にこれを他の容器に向けて排出させる大型ホッパーとしての機能を有するのであり、この場合、この容器本体２は、フレコンバッグの容量よりも大きな容量を有する。
【００６９】
又、前記容器本体２は、４枚の側板２ａ，２ａ・・と底板２ｂとにより角箱形に形成されており、１枚の側板２ａの下部には排出口３が設けられ、且つ、各隣り合う側板２ａ，２ａ・・の側縁部が溶接によって接合されており、更に、各接合部の外側に沿った周辺部には補強を兼ねるL字状のフレーム４により、フレコンバックが地面或いは床面に水平な安定姿勢で載置されるように構成されている。図２に示すように、容器本体２には、底板２ｂにおける中央部の最も深い箇所に、内容物を排出口３方向に向けて移動させる、スクリュウ−コンベアSが取り付けられている。
【００７０】
本発明実施形態の受台付き容器1において、受台５は、円形環状パイプで形成された受枠６と該受枠6を支持する４本の脚部材７，７・・とで構成されている。
【００７１】
前記受枠６は、フレコンバッグを安定した姿勢で載置できるように、フレコンバッグの円形底部の略３／４程度の径を有する、円形環状パイプで形成されている。
【００７２】
又、前記受枠６は、水平姿勢で容器本体２の上方に横方向に片寄ることなく配置され、これを可能にするため、図２に示すように、４本の脚部材７，７・・は、その各上端部が受枠６の周回方向を等分する４箇所に固定されて、平面視において当該受枠６が容器本体２の中央に位置するように構成されて、前記脚部材７，７・・の下端部が、角箱形の容器本体２で最も強度があり、且つ外圧に対する変形が最も少ない四隅の途中高さ箇所に装着されている。このため、例えば、図１に示すように、前記脚部材７，７・・はそれぞれ外方に広がる傾斜姿勢を有する。
【００７３】
図６は、前記受台５を示す斜視図であり、図１〜図５を参照にしつつ、図６に示す受台５について詳細に説明する。
この受台５を構成する受枠６と各脚部材７の上端部とは、各接続用短尺パイプ８を介して、当該受枠６に溶接にて接続されている。この場合、受枠６と各脚部材７の上端部とを溶接にて接続するのに代えて、前記各脚部材７の上端部が前記各接続用短尺パイプ８内に挿入され、更に、横方向からビス止めすることによって固定されるように構成しても良いのである。このように構成すると、容器本体の大きさに応じて、長さの異なる各脚部材７を交換することができるのである。
【００７４】
図７は、脚部材７の下端部を容器本体２の四隅の途中高さ箇所に取り付ける一例を示す部分斜視図である。
図７に示すように、容器本体２の四隅の途中高さ箇所には、脚部材７の下端部を支持させる支持部材１０が溶接により固定されている。
【００７５】
前記支持部材１０は、縦長矩形の丈夫な金属板１１と接続用短尺パイプ１２とが溶接により固着されている。この金属板１１の両側縁部は、容器本体２の隣り合う側板２ａ，２ａの内側面における途中高さ箇所に溶接により固着されており、又、前記接続用短尺パイプ１２は、金属板１１の中央に斜め上方に向けられた状態で溶接により固着されている。
【００７６】
前記脚部材７の下端部は、前記接続用短尺パイプ１２内に上方から挿入され、更に手前方向からビス１３を螺入させることにより、接続用短尺パイプ１２に装着されている。このため、ビス１３を取り外すと、脚部材７の下端部は接続用短尺パイプ１２から抜き外すことが可能になる。
【００７７】
この接続用短尺パイプ１２は、容器本体２の隣り合う側板２ａ，２ａの内側面における途中高さ箇所に位置し、容器本体２から上方に突出しないように構成されているので、当該容器本体２から受台５を取り外すと、接続用短尺パイプ１２が上方に突出しないので、複数の容器本体２を上下方向に容易に積み重ねることができる。
【００７８】
本発明実施形態の受台付き容器１は以上のように構成されており、図１〜５図に示すように、受枠６は、容器本体２の上方において、水平姿勢で、横方向に片寄らない位置に設けられている。受枠６と容器本体２の上端との上下高さの差は、例えば、４０ｃｍ〜５０ｃｍ程度であり、この高さの差により受枠６と容器本体２の上端部との間に形成される空間は、作業者が余裕を持って手を入れ、フレコンバックの底部開袋作業を行うのに用いられる。
【００７９】
図８は、フレコンバッグ１４の一例を示す斜視図である。
図８に示すフレコンバッグ１４は、合成樹脂，合成繊維又は天然繊維などのいずれか、或いはこれらの組み合わせ更に天然・合成ゴムなどの素材を用いて、円筒形状或いは有底円筒形状のバッグ本体部１５に２本の吊り下げ用ベルト１６，１6が縫合及び／または接着により接続され、更に、バッグ本体１５の途中高さの２箇所に、バッグ本体１５の補強を兼ね、バッグ本体１５と吊り下げ用ベルト１６，１６とを更に強固に固着させるための補強用ベルト１７，１７が縫合及び／または接着により接続され、更に、バッグ本体１５の底部中央に排出筒１８の上端部が接続されたもので構成されている。この排出筒１８と、バッグ本体１５の上端部に、それぞれ緊縛紐１９，２０が取り付けられている。
【００８０】
図９は、フレコンバッグ１４を吊り下げ姿勢で本発明実施形態の受台付き容器１上に載置した状態を示す側面図である。
図９においては、フレコンバッグ１４を吊り下げ姿勢のまま受枠６上に載置する際に、フォークリフト５０が利用されている。内容物が詰められたフレコンバッグ１４は、吊り下げ具３０の上に載置され、この吊り下げ具３０を介してフォークリフト５０のフォーク５１によって持ち上げられ、更にその後、受枠６上に載置される。前記フレコンバッグ１４を直接フォーク５１に掛け吊るすことなく、吊り下げ具３０を介して吊り下げるようにすると、フレコンバッグ５０が傷んで裂け易くなっていたり、フレコンバッグ１４のベルトが切断され易くなっていても、安全に受枠６上まで移動、載置することができる。
【００８１】
図１０は、受枠６上に吊り下げ姿勢のまま載置したフレコンバッグ１４の排出筒（口）１８を開放させた直後の状態を示す作業図である。
図９及び図１０に示すように、フレコンバッグ１４を受枠６上に吊り下げ姿勢のまま載置した後、前記受枠６の内側から下方に垂れ下がったフレコンバッグ１４の排出筒（口）１８を開放させる作業が行なわれ、この作業で、排出筒（口）１８を縛って閉じさせていた緊縛紐１９が解かれる。
【００８２】
前記緊縛紐１９を解く作業は、受枠６と容器本体２とによる高さの差によって形成された空間内に手を入れて行う。このようにすると、図１０に示すように、フレコンバッグ１４内に詰められていた内容物Ｎが排出筒（口）１８を通じて下方の容器本体２内に向けて排出される。
【００８３】
図１１は、各脚部材７が受枠６に上下回動自在に取り付けられた構成を有する、他の受台５Ａを示す斜視図、図１２において、（ａ）図はこの各脚部材７と受枠６との取付構造を示す正面断面図、同（ｂ）図は同じくその側面断面図である。
【００８４】
図１１に示すように、この他の構造の受台５Ａは、各脚部材７の上端部を支持点として上下回動するように構成されている。即ち、円形環状受枠６の周回方向を４等分する箇所に脚部材７，７・・の上端部が回動自在に枢着されている。
【００８５】
更に、この枢着構造を詳細に説明すると、図１２の（ａ）図及び（ｂ）図に示すように、円形環状受枠６における所定箇所の下面に、上下逆略U形状の脚部材装着用金具４０の上端部が支持されている。そして、この脚部材装着用金具４０の内側空間内には脚部材７の上端部を配置させた状態で、当該脚部材７の上端部が脚部材装着用金具４０の対向側板部４０ａ，４０ｂ間に挿入支持させた太ピンＰ１に回動自在に枢着、支持されている。
図１２に示す、いずれの各脚部材７の上端部もこのようにして円形環状受枠６にピン枢着されて、当該各脚部材７が上下回動自在に構成されている。受台５Ａをこのように構成すると、受台５Ａを容量が異なる容器本体２にも取り付けることが可能になる。
【００８６】
図１３において、（ａ）図は本発明他の実施形態による受台付き容器１Ａを示す斜視図、（ｂ）図は同じくその平面図であり、図１４において、（ａ）図は容器本体２Ａの隅部において脚部材装着用金具４２が取り付けられている状態を示す部分斜視図、（ｂ）図は同じくその側面断面図である。
【００８７】
図１３の（ａ）図及び（ｂ）図に示す、本発明他の実施形態の受台付き容器１Ａは、容器本体２Ａに、図１２における（ａ）図及び（ｂ）図に示す受台５Ａが取り付けられている。
【００８８】
この他の実施形態の受台付き容器１Ａにおいて、用いられている容器本体２Ａには、４枚の側板２ａ，２ａ・・によって形成された四隅の途中高さ箇所に、脚部材装着用金具４２，４２・・が上下回動自在にピン枢着されており、この脚部材装着用金具４２，４２・・に受台５Ａの脚部材７，７・・の下端部が着脱自在に装着されている。
【００８９】
従って、この本発明他の実施形態の受台付き容器１Ａにおいては、容器本体２Ａの平面視による大きさが異なるタイプであっても、受台５Ａを良好な状態で取り付けることができるように構成されている。
【００９０】
図１４の（ａ）図及び（ｂ）図においては、脚部材装着用金具４２の取付構造を更に解り易く示しており、これらの図に示すように、隣り合う側板２ａ，２ａによって形成された隅部の途中高さ箇所には、矩形の丈夫な金属板４４の両側端部が隣り合う側板２ａ，２ａに溶接されて固着されている。そして、この金属板４４の外側面には、２枚の縦板片４３ａ，４３ｂが対向する姿勢で前方に突出形成されている。
【００９１】
脚部材装着用金具４２は、その下端部を２枚の縦板片４３ａ，４３ｂの間に配置させた状態で、当該下端部が縦板片４３ａ，４３ｂ間に挿入支持されたピンＰ２に回動自在に装着されている。そして、前記脚部材装着用金具４２は、脚部材７を丁度挿入させ得る筒形状を有しており、図１４における（ｂ）に示すように、脚部材装着用金具４２の筒内下端部には、脚部材７の下端部を脚部材装着用金具４２内に挿入させたときの挿入深さを一定にする短尺円柱形状のストッパー部材４５が挿着されている。
【００９２】
前記脚部材７の下端部は、前記脚部材装着用金具４２の先端からその内部に挿入され、その抜け止めは、脚部材装着用金具４２における上端部の側壁面から当該脚部材７を貫通、支持させたピンＰ３によって行なわれている。
【００９３】
図１５は、前述の脚部材７，７・・が上下回動自在に構成された受台５Ａを容器本体２Ａに取り付けた受台付き容器１Ａを示す正面断面図である。
前記脚部材７，７・・が上下回動自在に構成された受台５Ａと、該脚部材７．７・・の下端部を挿着させる脚部材装着用金具４２，４２・・を上下回動自在に装着させた容器本体２Ａとを組み合わせた、図１５に示す受台付き容器１Ａは、所望により、受台５Ａを取り外すことが可能である。
【００９４】
受台付き容器１Ａから受台５Ａを取り外した容器本体２Ａは、その上端部より上方に突出するものが無くなり、しかも容器本体２Ａの上端部及び下端部にはそれぞれ平坦なフランジ面２ｃ、２ｄが形成されているので、容器本体２Ａを上方に積み重ねて、設置床面積を大幅に縮小することができる。
【００９５】
又、受台付き容器１Ａから取り外した受台５Ａにおいては、脚部材７，７・・が上下回動自在に構成されているので、図１６に示すように、平面視において大きさの異なる容器本体２Ｂに取り付けることも可能である。この受台５Ａの取り付けを可能にするために、容器本体２Ｂの四隅の途中高さ箇所には、図１３の（ａ）図及び（ｂ）図、及び図１５に示す容器本体２Ａの場合と同様の構造を有する脚部材装着用金具４２，４２・・が設けられている。
【００９６】
このように、同一の大きさの受台５Ａを、平面視において大きさの異なる容器本体に取り付けることができるのである。
【図面の簡単な説明】
【００９７】
【図１】図１は、本発明の第１実施形態に係るフレキシブルコンテナバッグの底部開袋に用いられる受台付き容器を示す斜視図である。
【図２】図２は同じくその平面図である。
【図３】図３は同じくその左側面図である。
【図４】図４は同じくその正面図である。
【図５】図５は図３のＡ−Ａ断面図である。
【図６】図６は、本発明の第１実施形態に用いられる受台を示す斜視図である。
【図７】図７は、脚部材の下端部を容器本体の四隅の途中高さ箇所に取り付ける一例を示す部分斜視図である。
【図８】図８は、本発明の第１実施形態に好適に用いられるフレコンバッグの一例を示す斜視図である。
【図９】図９は、フレコンバッグを吊り下げ姿勢で第１実施形態の受台付き容器の上に載置した状態を示す作業図である。
【図１０】図１０は、フレコンバッグを受枠上に吊り下げ姿勢のまま載置し、次いでフレコンバッグの排出筒（口）を開放させ、内容物を容器本体内に排出している状態を示す作業図である。
【図１１】図１１は、本発明において好適に用いられる受台の斜視図である。
【図１２】図１２において、（ａ）図は、図１１の受台における各脚部材と受枠との取付構造を示す正面断面図であり、又、（ｂ）図は同じくその側面断面図である。
【図１３】図１３において、（ａ）図は他の実施形態に係るフレキシブルコンテナバッグの底部開袋に用いられる受台付き容器を示す斜視図であり、又、（ｂ）図は同じくその平面図である。
【図１４】図１４において、（ａ）図は、脚部材装着用金具の取付構造を示す斜視図であり、又、（ｂ）図はその側面断面図である。
【図１５】図１５は、脚部材が上下回動自在に支持された受台を容器本体に取り付けた受台付き容器を示す正面断面図である。
【図１６】図１６は、図１５に示す受台を、平面視において大きさの異なる容器本体に取り付けた他の受台付き容器を示す正面断面図である。
【符号の説明】
【００９８】
１    第１実施形態の受台付き容器
２    容器本体
２ａ  側板
３    排出口
４    フレーム
５    受台
５Ａ  受台
６    受枠
７    脚部材
【図１】
2009035326.tif 000003
【図２】
2009035326.tif 000004
【図３】
2009035326.tif 000005
【図４】
2009035326.tif 000006
【図５】
2009035326.tif 000007
【図６】
2009035326.tif 000008
【図７】
2009035326.tif 000009
【図８】
2009035326.tif 000010
【図９】
2009035326.tif 000011
【図１０】
2009035326.tif 000012
【図１１】
2009035326.tif 000013
【図１２】
2009035326.tif 000014
【図１３】
2009035326.tif 000015
【図１４】
2009035326.tif 000016
【図１５】
2009035326.tif 000017
【図１６】
2009035326.tif 000018